(57)【特許請求の範囲】
【請求項１】
吸込みグリルの背面にエアフィルタが配設され、該エアフィルタの背面側にベルマウスを備えたファンケーシングを有する送風機が配設されている空気調和機において、
前記ベルマウスの前面外周上に、前記エアフィルタのフィルタ枠を構成する格子桟と接触し、前記吸込みグリルとの間で前記エアフィルタの前記格子桟を挟持する一定幅を持つリブ状突起が前記ベルマウスの接線方向に沿って一体成形により複数箇所に設けられていることを特徴とする空気調和機。
【請求項２】
前記リブ状突起は、前記エアフィルタの前記格子桟と少なくとも上下左右の３箇所で接触するように、前記ベルマウスの前面外周上の複数箇所に配設されていることを特徴とする請求項１に記載の空気調和機。
【請求項３】
前記ファンケーシングには、ベルマウス取付け孔の周囲に円周上等間隔で複数箇所に切欠き部が設けられ、前記ベルマウスの外周上には、前記切欠き部を介して前記ファンケーシングに係合され、該ベルマウスを前記ファンケーシングに装備する爪部が円周上等間隔で複数箇所に設けられており、前記ベルマウスの爪部が前記ファンケーシング側の切欠き部に対して任意の位置で係合可能とされていることを特徴とする請求項１または２に記載の空気調和機。
【請求項４】
前記ファンケーシングの切欠き部および前記ベルマウスの爪部は、それぞれ円周上に９０度間隔で４箇所に設けられていることを特徴とする請求項３に記載の空気調和機。
【請求項５】
前記ファンケーシングは、発泡材製とされていることを特徴とする請求項３または４に記載の空気調和機。
【請求項６】
前記ベルマウスの前面外周上には、少なくとも４箇所に前記リブ状突起が設けられ、該リブ状突起の中の少なくとも３箇所のリブ状突起が、常に前記エアフィルタの前記格子桟と接触可能な位置に配設されていることを特徴とする請求項１ないし５のいずれに記載の空気調和機。
【発明の詳細な説明】
【技術分野】
【０００１】
本発明は、空気調和機、詳しくは吸込みグリルの背面にエアフィルタに配設されている空気調和機のエアフィルタ抑え機構に関するものである。
【背景技術】
【０００２】
従来から、ユニット本体の下方部位に送風機を配置し、その上方部位に熱交換器を配置した空気調和機が知られている。この空気調和機では、送風機と対向してユニット本体の前面下部に室内空気を吸込む吸込みグリルが設けられ、該吸込みグリルの背面側に空気中の塵埃を除去するエアフィルタが配設されるとともに、その背面側に上記送風機が配設されており、該送風機を介して吸込みグリルより吸込んだ室内空気を、熱交換器で冷却または加熱した後、ユニット本体の前面上部に設けられている吹出しグリルから室内へと吹出す構成とされている。
【０００３】
かかる空気調和機の一例として、吸込みグリルをその一辺（下辺）を支点にユニット本体の下部に対して開閉自在に設け、該吸込みグリルの背面にエアフィルタを上方に引き出すことができるように着脱自在に内蔵し、更にそのエアフィルタの背面側に、所定の隙間をあけて、ベルマウス付きの吸込み口を備えたファンケーシングを有する遠心式送風機を配設した床置き型空気調和機が特許文献１により提示されている。
【先行技術文献】
【特許文献】
【０００４】
【特許文献１】特開平１０−１４１６９８号公報（図１−図３参照）
【発明の概要】
【発明が解決しようとする課題】
【０００５】
しかしながら、上記の空気調和機では、吸込みグリルの背面に着脱自在に配設されているエアフィルタが、送風機の吸入風圧によってファンケーシング（ベルマウス）側に撓み変形したり、ガタ付きを生じたりすることがある。これによって、エアフィルタと吸込みグリルの背面に設けられているフィルタガイドとの間に微小隙間が生じ、その隙間から空気中の塵埃がエアフィルタをバイパスしてユニット本体内に吸込まれることがあり、ユニット本体内の汚れの原因となっている。また、この汚れが熱交換器や送風機の表面等に付着することにより、効率の低下を招くという問題があった。
【０００６】
また、エアフィルタが上記のように吸入風圧により変形したり、ガタ付いたりし、それが過大となった場合、エアフィルタがフィルタガイドから外れることにより、送風機側に吸込まれてしまうという可能性も懸念される。従って、このようなトラブルを未然に防止できるように、事前に対策を講じておくことが望ましい。
【０００７】
本発明は、このような事情に鑑みてなされたものであって、送風機の吸入風圧によるエアフィルタの変形や外れ等を抑制し、それに起因するユニット本体内への塵埃の侵入等を防止することができる空気調和機を提供することを目的とする。
【課題を解決するための手段】
【０００８】
上記した課題を解決するために、本発明の空気調和機は、以下の手段を採用する。
すなわち、本発明にかかる空気調和機は、吸込みグリルの背面にエアフィルタが配設され、該エアフィルタの背面側にベルマウスを備えたファンケーシングを有する送風機が配設されている空気調和機において、前記ベルマウスの前面外周上に、前記エアフィルタのフィルタ枠を構成する格子桟と接触し、前記吸込みグリルとの間で前記エアフィルタの前記格子桟を挟持する一定幅を持つリブ状突起が前記ベルマウスの接線方向に沿って一体成形により複数箇所に設けられていることを特徴とする。
【０００９】
本発明によれば、ベルマウスの前面外周上に、エアフィルタのフィルタ枠を構成する格子桟と接触し、吸込みグリルとの間でエアフィルタの格子桟を挟持する一定幅を持つリブ状突起がベルマウスの接線方向に沿って一体成形により複数箇所に設けられているため、送風機の吸入風圧によるエアフィルタのベルマウス側への撓み変形やガタ付きを、ベルマウスの前面外周上に接線方向に沿って一体成形により複数箇所に設けられている一定幅を持つリブ状突起により抑制し、エアフィルタが変形したり、ガタ付いたりして、吸込みグリル側のフィルタガイドとの間に微小隙間が生じ、その隙間から空気中の塵埃がユニット本体内に侵入するのを防止することができる。従って、ユニット本体内の汚れの原因を排除し、送風機や熱交換器等の表面に塵埃が付着することによる効率の低下を抑制することができる。また、エアフィルタがフィルタガイドから外れ、送風機側に吸込まれる等のトラブルの可能性を確実に解消することができる。
【００１０】
さらに、本発明の空気調和機は、上記の空気調和機において、前記リブ状突起は、前記エアフィルタの前記格子桟と少なくとも上下左右の３箇所で接触するように、前記ベルマウスの前面外周上の複数箇所に配設されていることを特徴とする。
【００１１】
本発明によれば、リブ状突起が、エアフィルタの格子桟と少なくとも上下左右の３箇所で接触するように、ベルマウスの前面外周上の複数箇所に配設されているため、エアフィルタの格子桟をベルマウスの前面外周上の少なくとも上下左右の３箇所でリブ状突起を介して安定的に支持することができる。従って、エアフィルタが送風機の吸入風圧によりベルマウス側に変形したり、ガタ付いたりするのを確実抑えることができる。
【００１２】
さらに、本発明の空気調和機は、上述のいずれかの空気調和機において、前記ファンケーシングには、ベルマウス取付け孔の周囲に円周上等間隔で複数箇所に切欠き部が設けられ、前記ベルマウスの外周上には、前記切欠き部を介して前記ファンケーシングに係合され、該ベルマウスを前記ファンケーシングに装備する爪部が円周上等間隔で複数箇所に設けられており、前記ベルマウスの爪部が前記ファンケーシング側の切欠き部に対して任意の位置で係合可能とされていることを特徴とする。
【００１３】
本発明によれば、ファンケーシングのベルマウス取付け孔の周囲に、円周上等間隔で複数箇所に切欠き部が設けられているとともに、ベルマウスの外周上に、切欠き部を介してファンケーシングに係合され、ベルマウスをファンケーシングに装備する爪部が円周上等間隔で複数箇所に設けられており、ベルマウスの爪部がファンケーシング側の切欠き部に対して任意の位置で係合可能とされているため、ベルマウスの爪部をファンケーシングの切欠き部に対して任意の位置で係合し、ベルマウスをファンケーシングに組み付けることができる。従って、ベルマウスの組み付けを容易化し、生産性を向上することができる。
【００１４】
さらに、本発明の空気調和機は、上記の空気調和機において、前記ファンケーシングの切欠き部および前記ベルマウスの爪部は、それぞれ円周上に９０度間隔で４箇所に設けられていることを特徴とする。
【００１５】
本発明によれば、ファンケーシングの切欠き部およびベルマウスの爪部が、それぞれ円周上に９０度間隔で４箇所に設けられているため、ベルマウスをファンケーシングに対して組み付けする際、ファンケーシング側に９０度間隔で設けられている４箇所の切欠き部に対して、ベルマウス側の９０度間隔で４箇所に設けられている爪部を、いずれの位置で組み付けてもよく、従って、ベルマウスの組み付け時の位置合せを容易化し、組み立て性を向上することができる。
【００１６】
さらに、本発明の空気調和機は、上述のいずれかの空気調和機において、前記ファンケーシングは、発泡材製とされていることを特徴とする。
【００１７】
本発明によれば、ファンケーシングが、発泡材製とされているため、発泡材製ファンケーシングのベルマウス取付け孔に対して、切欠き部を介してベルマウスの爪部を係合することにより、ネジ等を用いることなく、ベルマウスを組み付けることができる。これによって、発泡材製のファンケーシングに対しても、ネジ止め用のインサート金具等を組み込むことなく、ベルマウスを簡便に装備することができ、簡素で安価な構成とすることができる。
【００１８】
さらに、本発明の空気調和機は、上述のいずれかの空気調和機において、前記ベルマウスの前面外周上には、少なくとも４箇所に前記リブ状突起が設けられ、該リブ状突起の中の少なくとも３箇所のリブ状突起が、常に前記エアフィルタの前記格子桟と接触可能な位置に配設されていることを特徴とする。
【００１９】
本発明によれば、ベルマウスの前面外周上に、少なくとも４箇所にリブ状突起が設けられ、該リブ状突起の中の少なくとも３箇所のリブ状突起が、常にエアフィルタの格子桟と接触可能な位置に配設されているため、ベルマウスを何れの回転方向位置でファンケーシングに組み付けたとしても、前面外周上に設けられている３箇所のリブ状突起が必ずエアフィルタの格子桟に接触されるようになる。従って、エアフィルタの格子桟を常時３箇所のリブ状突起により安定的に支持することが可能となる。
【発明の効果】
【００２０】
本発明の空気調和機によると、送風機の吸入風圧によるエアフィルタのベルマウス側への撓み変形やガタ付きを、ベルマウスの前面外周上に接線方向に沿って一体成形により複数箇所に設けられている一定幅を持つリブ状突起により抑制し、エアフィルタが変形したり、ガタ付いたりして、吸込みグリル側のフィルタガイドとの間に微小隙間が生じ、該隙間から空気中の塵埃がユニット本体内に侵入するのを防止することができるため、ユニット本体内の汚れの原因を排除し、送風機や熱交換器等の表面に塵埃が付着することによる効率の低下を抑制することができる。また、エアフィルタがフィルタガイドから外れ、送風機側に吸込まれる等のトラブルの可能性を確実に解消することができる。
【図面の簡単な説明】
【００２１】
【図１】本発明の一実施形態に係る空気調和機を吸込みグリルを開いた状態で後方側から見た斜視図である。
【図２】図１に示す空気調和機の吸込みグリルを外した状態の正面図である。
【図３】図１に示す空気調和機の吸込みグリルおよびえエアフィルタを外した状態の正面図である。
【図４】図１に示す空気調和機の吸込みグリル、エアフィルタおよびベルマウスを外した状態の正面図である。
【図５】図３中におけるＢ−Ｂ断面図である。
【図６】図２に示す状態の空気調和機に対してベルマウスを９０度回転して組み付けた状態の正面図である。
【図７】図２に示す状態の空気調和機に対してベルマウスを１８０度回転して組み付けた状態の正面図である。
【図８】図２に示す状態の空気調和機に対してベルマウスを２７０度回転して組み付けた状態の正面図である。
【発明を実施するための形態】
【００２２】
以下に、本発明の一実施形態について、図１ないし図８を参照して説明する。
図１には、本発明の一実施形態に係る空気調和機を後方側から見た斜視図が示され、図２には、その空気調和機の吸込みグリルを外した状態の正面図が示されている。
空気調和機１として、縦長の床置き型空気調和機１の例が示されている。この空気調和機１は、縦長のユニット本体２を備え、その内部に熱交換器（図示省略）および送風機３が配設された構成とされている。送風機３は、ユニット本体２の下方部位に内蔵されており、その上方部位に熱交換器が内蔵されている。なお、本実施形態の送風機３は、スクロール形状のファンケーシング４内に羽根車（図示省略）が回転自在に設けられている遠心式送風機とされている。
【００２３】
ユニット本体２の前面下部には、ユニット本体２内に配置されている送風機３と対向して吸込みグリル５が設けられ、また、ユニット本体２の前面上部には、吹出しグリル（図示省略）が設けられている。これにより、送風機３を介して吸込みグリル５よりユニット本体２内に吸込まれた室内空気が、熱交換器を通過する過程で冷却または加熱され、それが吹出しグリルを経て室内に吹出されることによって、室内が空調されるように構成されている。
【００２４】
吸込みグリル５は、その下辺部がユニット本体２の前面下方部に回転自在に支持されており、図１に示されるように、下辺部を支点に前方側に開閉自在とされている。この吸込みグリル５の背面に、エアフィルタ７が吸込みグリル５の背面の両サイドに設けられているフィルタガイド６を介して上下方向（図１に示す矢印Ａ方向）にスライド可能に装備されており、上方に引き抜くことによって、取り出し可能もしくは交換可能とされている。
【００２５】
エアフィルタ７は、格子状の桟（格子桟）８を有する矩形状のフィルタ枠９内に、適宜のメッシュを有するフィルタ部材１０が設けられた構成とされている。このエアフィルタ７の背面側には、吸込みグリル５と対向するように、所定の隙間を開けてファンケーシング４を有する遠心式の送風機３が配設されている。このスクロール形状のファンケーシング４は、発泡材製とされており、その内部に羽根車（図示省略）が組み込まれ、該羽根車はモータを介して回転駆動されるように構成されている。
【００２６】
ファンケーシング４の前面側には、図４に示されるように、ベルマウス１４を組み付けるためのベルマウス取付け孔１１が開口されており、該ベルマウス取付け孔１１の内周円上には、９０度毎に等間隔で４箇所にベルマウス組み付け用の切欠き部１２Ａないし１２Ｄが設けられている。このファンケーシング４のベルマウス取付け孔１１には、図３に示されるように、送風機３の吸込み口１３を構成する環状のベルマウス１４が組み付けられるようになっている。
【００２７】
ベルマウス１４には、その外周フランジ部１５の外縁上に、図３および図５に示されるように、ファンケーシング４に対して切欠き部１２Ａないし１２Ｄを介して係合される爪部１６Ａないし１６Ｄが設けられている。この爪部１６Ａないし１６Ｄは、ファンケーシング４側の切欠き部１２Ａないし１２Ｄと対応するように、９０度毎に等間隔で４箇所に設けられており、図５に示されるように、切欠き部１２Ａないし１２Ｄを介して嵌合された後、ベルマウス１４を所定角度回転することにより、ファンケーシング４の裏面に係合されるように構成されている。
【００２８】
なお、上記のように、切欠き部１２Ａないし１２Ｄおよび爪部１６Ａないし１６Ｄは、ファンケーシング４およびベルマウス１４に、それぞれ９０度毎に等間隔で４箇所に設けられているだけでなく、各切欠き部１２Ａないし１２Ｄおよび各爪部１６Ａないし１６Ｄは共に各々同一構成とされている。このため、ベルマウス１４は、ファンケーシング４に対する組み立て時、９０度毎に回転されたいずれの位置においても、ファンケーシング４に対し組み付け可能とされている。
【００２９】
さらに、ファンケーシング４に装備されるベルマウス１４の外周フランジ部１５の前面には、ベルマウス１４の接線方向に延長された一定幅を持つリブ状突起１７Ａないし１７Ｄが外周上の４箇所に設けられている。このリブ状突起１７Ａないし１７Ｄは、ベルマウス１４の外周フランジ部１５の前面から前方に所定寸法だけ突出され、その前面に配置されているエアフィルタ７の格子桟８と接触されるように、ベルマウス１４に一体成形されている。また、このリブ状突起１７Ａないし１７Ｄは、ベルマウス１４が９０度間隔で回転され、いずれの位置でファンケーシング４に装備された場合でも、４箇所のリブ状突起１７Ａないし１７Ｄの中の少なくとも３箇所のリブ状突起１７Ａないし１７Ｄが、常に格子桟８に上下左右の３箇所で接触されるように配設されている。
【００３０】
以上に説明の構成により、本実施形態によれば、以下の作用効果を奏する。
送風機３が回転されることによって吸込みグリル５からユニット本体２内に吸込まれた室内空気は、エアフィルタ７により空気中の塵埃が除去された後、送風機３を介して熱交換器に送風され、熱交換器を通過する間に冷却または加熱される。この空気は、吹出しグリルより室内へと吹出され、室内の冷房または暖房に供される。この間、エアフィルタ７には、送風機３による吸入風圧がかかり、エアフィルタ７は背面側に抑えがないと、ベルマウス１４側に撓み変形したり、ガタ付いたりすることがある。
【００３１】
然るに、本実施形態では、送風機３のファンケーシング４に装備されているベルマウス１４の前面外周上の少なくとも４箇所にリブ状突起１７Ａないし１７Ｄが設けられ、該リブ状突起１７Ａないし１７Ｄの中の少なくとも上下左右の３箇所のリブ状突起１７Ａないし１７Ｄが、常にエアフィルタ７の格子桟８に対して接触される構成とされている。つまり、図２には、ファンケーシング４の切欠き部１２Ａにベルマウス１４の爪部１６Ａを係合し、同様に切欠き部１２Ｂに爪部１６Ｂ、切欠き部１２Ｃに爪部１６Ｃ、切欠き部１２Ｄに爪部１６Ｄを係合することにより、ベルマウス１４をファンケーシング４に組み付けた状態が示されている。この場合、３箇所のリブ状突起１７Ａ，１７Ｂおよび１７Ｄが格子桟８に接触されるようになっている。
【００３２】
また、図６には、ベルマウス１４を９０度回転し、切欠き部１２Ａに爪部１６Ｄ、切欠き部１２Ｂに爪部１６Ａ、切欠き部１２Ｃに爪部１６Ｂ、切欠き部１２Ｄに爪部１６Ｃを係合することにより、ベルマウス１４をファンケーシング４に組み付けた状態が示されており、この場合、３箇所のリブ状突起１７Ａ，１７Ｂおよび１７Ｃが格子桟８に接触されるようになっている。同様に、図７には、図２の位置からベルマウス１４を１８０度回転し、切欠き部１２Ａに爪部１６Ｂ、切欠き部１２Ｂに爪部１６Ｃ、切欠き部１２Ｃに爪部１６Ｄ、切欠き部１２Ｄに爪部１６Ａを係合することにより、ベルマウス１４をファンケーシング４に組み付けた状態が示されている。この場合、３箇所のリブ状突起１７Ｂ，１７Ｃおよび１７Ｄが格子桟８に接触されるようになっている。
【００３３】
さらに、図８には、図２の位置からベルマウス１４を２７０度回転し、切欠き部１２Ａに爪部１６Ｂ、切欠き部１２Ｂに爪部１６Ｃ、切欠き部１２Ｃに爪部１６Ｄ、切欠き部１２Ｄに爪部１６Ａを係合することにより、ベルマウス１４をファンケーシング４に組み付けた状態が示されており、この場合、３箇所のリブ状突起１７Ａ，１７Ｃおよび１７Ｄが格子桟８に接触されるようになっている。
【００３４】
これによって、送風機３の吸入風圧によるエアフィルタ７のベルマウス１４側への撓み変形やガタ付きを、ベルマウス１４の前面外周上に設けられている少なくとも４箇所のリブ状突起１７Ａないし１７Ｄにより抑制し、エアフィルタ７が変形したり、ガタ付いたりして吸込みグリル５側のフィルタガイド６との間に微小隙間が生じ、該隙間から空気中の塵埃がユニット本体２内に侵入するのを防止することができる。
このため、ユニット本体２内の汚れの原因を排除し、送風機３や熱交換器等の表面に塵埃が付着することによる効率の低下を抑制することができる。また、エアフィルタ７がフィルタガイド６から外れ、送風機３側に吸込まれる等のトラブルの可能性を確実に解消することができる。
【００３５】
また、ベルマウス１４の外周フランジ部１５の前面外周上には、少なくとも４箇所にリブ状突起１７Ａないし１７Ｄが設けられており、該リブ状突起１７Ａないし１７Ｄの中の少なくとも３箇所のリブ状突起１７Ａないし１７Ｄが、常にエアフィルタ７の格子桟８と接触可能な位置に配設されているため、ベルマウス１４を何れの回転方向位置でファンケーシング４に組み付けたとしても、前面外周上に設けられている３箇所のリブ状突起１７Ａないし１７Ｄが必ずエアフィルタ７の格子桟８に接触されるようになる。従って、エアフィルタ７の格子桟８を常時３箇所のリブ状突起１７Ａないし１７Ｄにより安定的に支持することが可能となる。
【００３６】
さらに、本実施形態では、ファンケーシング４のベルマウス取付け孔１１の周囲に、円周上等間隔で複数箇所に切欠き部１２Ａないし１２Ｄを設けるとともに、ベルマウス１４の外周上に、切欠き部１２Ａないし１２Ｄを介してファンケーシング４に係合され、ベルマウス１４をファンケーシング４に装備する爪部１６Ａないし１６Ｄを円周上等間隔で複数箇所に設けており、ベルマウス１４の爪部１６Ａないし１６Ｄがファンケーシング４の切欠き部１２Ａないし１２Ｄに対して任意の位置で係合可能とされている。このため、ベルマウス１４の爪部１６Ａないし１６Ｄをファンケーシング４の切欠き部１２Ａないし１２Ｄに対して任意の位置で係合し、ベルマウス１４をファンケーシング４に組み付けることができる。従って、ベルマウス１４の組み付けを容易化し、空気調和機１の生産性を向上することができる。
【００３７】
また、上記ファンケーシング４の切欠き部１２Ａないし１２Ｄおよびベルマウス１４の爪部１６Ａないし１６Ｄは、それぞれ円周上に９０度間隔で４箇所に設けられているため、ベルマウス１４をファンケーシング４に対して組み付けする際、ファンケーシング４側に９０度間隔で設けられている４箇所の切欠き部１２Ａないし１２Ｄに対して、ベルマウス１４側の９０度間隔で４箇所に設けられている爪部１６Ａないし１６Ｄを、いずれの位置で組み付けてもよい。従って、ベルマウス１４の組み付け時の位置合せを容易化することができ、組み立て性を向上することができる。
【００３８】
また、上記ファンケーシング４は、発泡材製とされているため、発泡材製ファンケーシング４のベルマウス取付け孔１１に対して、切欠き部１２Ａないし１２Ｄを介してベルマウス１４の爪部１６Ａないし１６Ｄを係合することにより、ネジ等を用いることなく、ベルマウス１４を組み付けることができる。従って、発泡材製のファンケーシング４に対しても、ネジ止め用のインサート金具等を組み込むことなく、ベルマウス１４を簡便に装備することができ、簡素で安価な構成とすることができる。
【００３９】
なお、本発明は、上記実施形態にかかる発明に限定されるものではなく、その要旨を逸脱しない範囲において、適宜変形が可能である。例えば、上記実施形態では、ユニット本体２の下方部位に送風機３を配置し、その上方部位に熱交換器を配置した縦長の床置き型空気調和機１の例について説明したが、このような縦長の床置き型空気調和機に限られるものではなく、吸込みグリル５の背面にエアフィルタ７が配設され、更にその背後に送風機３が配設されている空気調和機１に広く適用できることはもちろんである。
【００４０】
また、ファンケーシング４に設けられる切欠き部１２Ａないし１２Ｄ、ベルマウス１４に設けられる爪部１６Ａないし１６Ｄは必ずしも４箇所に限定されるものではなく、４箇所より多くてもあるいは少なくてもよい。さらに、ベルマウス１４に設けられるリブ状突起１７Ａないし１７Ｄは、少なくとも４箇所に設けられ、上下左右の少なくとも３箇所でエアフィルタ７の格子桟８に接触されるようになっておれば、５箇所以上に設けられていてもよいことは云うまでもない。
【符号の説明】
【００４１】
１  空気調和機
２  ユニット本体
３  送風機
４  ファンケーシング
５  吸込みグリル
７  エアフィルタ
８  格子桟
１１  ベルマウス取付け孔
１２Ａ，１２Ｂ，１２Ｃ，１２Ｄ  切欠き部
１４  ベルマウス
１６Ａ，１６Ｂ，１６Ｃ，１６Ｄ  爪部
１７Ａ，１７Ｂ，１７Ｃ，１７Ｄ  リブ状突起
【図１】
0005590863.tif 000002
【図２】
0005590863.tif 000003
【図３】
0005590863.tif 000004
【図４】
0005590863.tif 000005
【図５】
0005590863.tif 000006
【図６】
0005590863.tif 000007
【図７】
0005590863.tif 000008
【図８】
0005590863.tif 000009